Podtech/llm-jp-corpus-v4-ja_patent huggingface dataset:
(57)【要約】      （修正有）【課題】片手の不自由な人が、ポンプ式シャンプーやリンスを使用できるようにするための木製受け皿を提供する。【解決手段】片手の不自由な人がポンプ式シャンプーやリンスを使用するときに、シャンプーやリンスのらせん状の溝部分に、木製受け皿１０のかぎの手部分２をはめ込み、木製受け皿のくぼみ部分で液体を受け，そして受け皿を外して頭に付けることでシャンプーやリンスを使用できるようにしたものである。【選択図】図２
0003145725.tif 000002
【実用新案登録請求の範囲】
【請求項１】
片手の不自由な人が、ポンプ式シャンプーやリンスを使用するには、一押しして急いで頭をその下に持っていくか、押した手で受けるか、大変なことです。
片手の不自由な人が一人でも使用できる、ポンプ式シャンプーやリンスに簡単にはめたり取ったりすることができることを特徴とした木製受け皿。
【考案の詳細な説明】
【背景技術】
【０００１】  片手の不自由な人にとって、ポンプ式シャンプーやリンスの使用は非常に大変なことで、一人でのんびりとシャンプーやリンスが使えたらと思い考案しました。
【考案が解決するための手段】
【０００２】  そこで、片手の不自由な人でも片手のままシャンプーやリンスに木具をはめて、一押しか二押しし液体を出し、その液体を受けた木具をはずして頭に付け使用する。
【考案を実施するための最良の形態】
【０００３】  本考案にかかる受け皿１０は、木製で、ポンプ式シャンプーやリンスのらせん状の溝部分に本考案のかぎの手部分２をはめ込み、一押しして出たその液体を木製のくぼみ部分３で受け、その木製の木具をはずして頭につける。
【図面の簡単な説明】
【０００４】
【図１】  本考案にかかる木製受け皿の真上図である。
【図２】  本考案にかかる木製受け皿をポンプ式シャンプーにはめ込んだ図。
【符号の説明】
【０００５】  木製受け皿        １０
かぎの手            ２
くぼみ              ３
【図１】
0003145725.tif 000003
【図２】
0003145725.tif 000004
【手続補正書】
【提出日】平成20年7月14日(2008.7.14)
【手続補正１】
【補正対象書類名】実用新案登録請求の範囲
【補正対象項目名】全文
【補正方法】変更
【補正の内容】
【実用新案登録請求の範囲】
【請求項１】
小皿に引っ掛け取っ手に溝を付けた型で、ポンプ式シャンプーやリンスに簡単にはめたり取ったりすることができることを特徴とした木製受け皿
【手続補正２】
【補正対象書類名】明細書
【補正対象項目名】０００１
【補正方法】変更
【補正の内容】
【０００１】  片手の不自由な人にとって、ポンプ式シャンプーやリンスの使用は非常に大変なことで一押しして急いで頭をシャンプーやリンスの下にもっていくか、押した手で受けるしかありません。片手の不自由な人が、ポンプ式シャンプーやリンスを一人でも使用できたらと思い考案しました。
【手続補正３】
【補正対象書類名】明細書
【補正対象項目名】０００３
【補正方法】変更
【補正の内容】
【０００３】  本考案にかかる受け皿１０は木製で、ポンプ式シャンプーやリンスのらせん状の溝部分に、本考案の引っ掛け取っ手２に溝４を付けたものをはめ込み、一押しして出した液体を木製のくぼみ部分３で受ける。
【手続補正４】
【補正対象書類名】明細書
【補正対象項目名】０００５
【補正方法】変更
【補正の内容】
【０００５】  木製受け皿                    １０
引っ掛け取っ手                  ２
シャンプー・リンスの受け皿      ３
引っ掛け取っ手の溝              ４
【手続補正５】
【補正対象書類名】図面
【補正対象項目名】全図
【補正方法】変更
【補正の内容】
【図１】
0003145725.tif 000005
【図２】
0003145725.tif 000006
(57)【要約】      （修正有）【課題】両側から挟み込むことによって衣服を暖めておく電気器具を提供する。【解決手段】電気カーペット状の物１に両側から開閉可能な外枠器具２を取り付け、電源スイッチやタイマー等３も装備した電気器具である。外枠の付いた電気カ−ペット状の物で、両側からたたみこみ、その間に衣服を入れて暖め、タイマ−を付ければスイッチを入れぱなしでなくても、朝などの好きな時間設定が可能で、いつでも暖かな下着や衣服を着る事ができる。又差し込みプラグは、他の電気器具と識別出来るように、直接読み易いように製品（種類）の名前を表や裏等に入れた物である。【選択図】図２
0003145730.tif 000002
【実用新案登録請求の範囲】
【請求項１】
電気カ−ペット状の物を開閉可能な外枠器具に取り付け，その中に衣服等を入れ，暖める．
電源スイッチ以外に，時間に合わせて暖める事ができるタイマ−や，ある程度の時間暖め続けると，自動停止する機能も取り付けた．
【請求項２】
又差し込みプラグの握り部分に，シ−ルや直接読み易いように，製品（種類）の名前を，表や裏等に入れた物である．
【考案の詳細な説明】
【技術分野】
【００１】本考案は冬場の冷たくなった衣服等を，暖めておく電気器具である．
【背景技術】
【００２】従来，冬の朝の寝室や浴室の脱衣場の下着や衣服は冷たくなり，着た時不快であった．
【課題を解決する手段】
【００３】そこで電気カ−ペット状の物で，両側からたたみこみ，その間に衣服を入れて暖め，タイマ−を付ければスイッチを入れぱなしなくっても，朝などの好きな時間設定が可能である．又，他の電化製品と識別が出来るように，差し込みプラグに製品名（種類）を入れた．
【考案の効果】
【００４】よって本考案は電気カ−ペット状の物で，両側から挟み込むことによって衣服を暖めておく電気器具である．
【考案を実施するための最良の形態】
【００５】本考案は図に示すように，電気カ−ペット状の物１に両側から開閉可能な外枠器具２を取り付け，電源スイッチやタイマ−等３も装備した電気器具である．
他の製品との識別出来る製品名（種類）の入った差し込みプラグ１７．
【図面の簡単な説明】
【００６】
【図１】は本考案の壁掛けタイプ．（スタンドを取った状態）
【図２】は床置きタイプの全体図である．
【符号の説明】
【００７】  １  カ−ペット状の電熱器
２  外枠
３  電源スイッチ，タイマ−，温度調整，液晶パネル他
４  取り外し可能なスタンド
５  スタンドの取り付け用パネル
６  開き防止取っ手（引っ掛け具用）
７  持ち手，取っ手
８  引っ掛け具
９  マジックテ−プまたは磁石
１０  ネジ
１１  壁取り付け用の引っ掛け穴
１２  スタンド取付け用パネルネジ穴
１３  壁取り付け用パネル
１４  壁取り付け用穴
１５  本体取り付け用突起
１６  回転軸
１７  製品名（種類）の入った差し込みプラグ
【図１】
0003145730.tif 000003
【図２】
0003145730.tif 000004
【手続補正書】
【提出日】平成20年6月16日(2008.6.16)
【手続補正１】
【補正対象書類名】実用新案登録請求の範囲
【補正対象項目名】全文
【補正方法】変更
【補正の内容】
【実用新案登録請求の範囲】
【請求項１】
電気カーペット状の物を開閉可能な外枠器具に取り付け，その中に衣服等を入れる衣服暖め機であって，電源スイッチ以外に，時間に合わせて暖める事ができるタイマーと，ある程度の時間暖め続けると，自動停止する機能を有する衣服暖め機．
【請求項２】
又差し込みプラグの握り部分に，製品（種類）の名前を入れた請求項１記載の衣服暖め機．
【手続補正２】
【補正対象書類名】明細書
【補正対象項目名】００７
【補正方法】変更
【補正の内容】
【００７】    １  カーペット状の電熱器
２  外枠
３  電源スイッチ，タイマー，温度調整，液晶パネル他
４  取り外し可能なスタンド
５  スタンドの取り付け用パネル
６  開き防止取っ手（引っ掛け具用）
７  持ち手，取っ手
８  引っ掛け具
９  面ファスナーまたは磁石
１０  ネジ
１１  壁取り付け用の引っ掛け穴
１２  スタンド取付け用パネルネジ穴
１３  壁取り付け用パネル
１４  壁取り付け用穴
１５  本体取り付け用突起
１６  回転軸
１７  製品名（種類）の入った差し込みプラグ
(57)【要約】      （修正有）【課題】安心かつ正確に珠をはじくことができるそろばんを提供する。【解決手段】衝撃を吸収する素材でできた、あるいは間隔の開いた二本の梁を用いたそろばんを使用することにより、力の伝達が抑制され、衝撃で五珠が飛ばない、同様に衝撃で一珠が飛ばない効果が期待出来る。また、珠を誤ってはじき飛ばさないように弱い力で使用しなければならないという余計なストレスから開放されるため、力強く気持ち良く珠をはじくことが出来、そろばんの楽しさを味わうことが出来る。そして自信を持って安心かつ迅速正確に珠をはじくことができ、正解への確実性を更に高めることが出来る。【選択図】図１
0003145724.tif 000002
【実用新案登録請求の範囲】
【請求項１】
衝撃を吸収する素材でできた、あるいは間隔の開いた二本の梁を用いたそろばん。
【考案の詳細な説明】
【技術分野】
【０００１】  本発明は、誤って珠が飛び散らないそろばんに関するものである。
【背景技術】
【０００２】  そろばんを使用すると少し力をいれただけで、五珠あるいは一珠に力が伝わり、珠が飛び散ってしまうことがしばしばある。【０００３】  従来のそろばんは、梁を介して五珠と一珠が直に接触する。
【考案の開示】
【考案が解決しようとする課題】
【０００４】  しかしながら、従来のそろばんは、梁を介して五珠と一珠が直に接触するため、力が伝達し安く、誤って珠が飛び散ってしまうという問題点がある。【０００５】  本発明は、このような従来の問題を解決しようとするもので、安心かつ自信を持って、正確に珠をはじくことができるそろばんを提供することを目的とするものである。
【課題を解決するための手段】
【０００６】  本発明は、衝撃を吸収する素材でできた、あるいは間隔の開いた二本の梁を用いることにより上記課題を解決したものである。
【考案の効果】
【０００７】  本発明によれば、衝撃を吸収する素材でできた、あるいは間隔の開いた二本の梁を用いたそろばんを使用することにより、力の伝達が抑制され、衝撃で五珠が飛ばない、同様に衝撃で一珠が飛ばない効果が期待出来る。また、珠を誤ってはじき飛ばさないように弱い力で使用しなければならないという余計なストレスから開放されるため、力強く気持ち良く珠をはじくことが出来、そろばんの楽しさを味わうことが出来る。そして自信を持って安心かつ迅速正確に珠をはじくことができ、正解への確実性を更に高めることが出来る。
【実施例】
【０００８】  本発明のそろばんは、図１に示されるように、梁１に衝撃を吸収する素材を用いる。【０００９】  あるいは本発明のそろばんは、図２に示されるように、梁２Ａと梁２Ｂの間隔を開ける。【００１０】  次に動作について説明する。図１において５＋４を計算する場合、まず盤面に５をおいて、次に４を加える時、多少の力が入っても先においた五珠が動かない。同様に４＋５を計算する場合、まず盤面に４をおいて、次に５を加える時、多少の力が入っても先においた一珠が動かない。これで計算は終了する。【００１１】  図２においても同様の動作になる。
【産業上の利用可能性】  上述の発明は、安心して珠をはじくことができ、正解への確実性を高めるそろばんとして利用可能である。
【図面の簡単な説明】
【図１】本発明にかかる、梁に衝撃を吸収する素材を用いたそろばんの構成を示す外観図である。
【図２】本発明にかかる、二本の梁を用いたそろばんの構成を示す外観図である。
【符号の説明】
１…衝撃を吸収する素材でできた梁
２Ａ…梁
２Ｂ…梁
【図１】
0003145724.tif 000003
【図２】
0003145724.tif 000004
【手続補正書】
【提出日】平成20年5月12日(2008.5.12)
【手続補正１】
【補正対象書類名】実用新案登録請求の範囲
【補正対象項目名】全文
【補正方法】変更
【補正の内容】
【実用新案登録請求の範囲】
【請求項１】
衝撃を吸収する素材でできた梁を用いたそろばん。
あるいは従来と同様の形状、構造の梁を珠の力が伝わらないように適度な間隔を開けて二本用いたそろばん。
【手続補正書】
【提出日】平成20年7月11日(2008.7.11)
【手続補正１】
【補正対象書類名】実用新案登録請求の範囲
【補正対象項目名】全文
【補正方法】変更
【補正の内容】
【実用新案登録請求の範囲】
【請求項１】
衝撃を吸収する素材でできた梁を用いたそろばん。
【請求項２】
梁を、珠の力が伝わらないように適度な間隔を開けて二本用いたそろばん。
(57)【要約】      （修正有）【課題】フロントフォークの材質を強固なものにしても機能し、かつ容易にスプリンガーフォークとリンク式サスペンションを好みに応じて使い分けることができるフロントサスペンションを提供する。【解決手段】自動二輪車等の後ろ側のフロントフォークＡにリンクＧを取り付けＧの前側とフロントフォークＡに接合したステーＨに油圧式の緩衝器Ｆを取り付け、さらにリンクＧに前側のロッドＢを嵌め、ロッドＢの上部にスプリングＣを組み込む。ロッドＢとトップブリッジにボルトで縫い付けたステーＩで固定することによって構成し、スプリンガーフォークとリンク式サスペンションの両方の性質を同時に所有させる。フロントフォークＡに設けたリンクと緩衝器Ｆの組み合わせによるリンク式サスペンションは、単独でも十分に機能するものであるが、これにスプリンガフォークＢとスプリングＣを付け加えることにより、フロントフォークＡが破損したり、やわらかい材質しか使用できないということがなくなる。【選択図】図２
0003145779.tif 000002
【実用新案登録請求の範囲】
【請求項１】
フレームのヘッドパイプにステアリングステムを回転可能に取り付け・このステアリングステムの上部にトップブリッジを、下部にボトムブリッジを設け、これらトップブリッジとボトムブリッジにてフロントフォークを支持し、このフロントフォークに設けたリンク機構にて緩衝器の下を支えるようにしたリンク式フロントサスペンションにおいて、このボトムリンク式サスペンションに、左右一対のロッドとそのロッドにそれぞれスプリングを入れ（、これらのロッドをトップブリッジに設けたステーで固定したスプリンガーフォークを、組み合わせたことを特徴とする自動二輪および自動三輪車のフロントサスペンション構造
【考案の詳細な説明】
【考案の詳細な説明】
【技術分野】
【０００１】  本考案は自動二輪車および自動三輪車のフロントフォークに関する。
【背景技術】
【０００２】  一般に、自動二輪車および自動三輪者において、従来より利用されているスプリンガーフォークは、前側のロッドと後ろ側のロッドをリンクで結合し、前側のロッドにむき出しのスプリングを取り付けて、衝撃を吸収していた。【０００３】  当該スプリンガーフォークはストローク量が少なく、衝撃がスプリングだけで吸収しきれず、後ろ側のロッドにまで伝わってしまい、後ろ側のロッドが折れる問題があった。また後ろ側のロッドについて衝撃が伝わることから硬い材質を使用できず、急ブレーキをかけると後ろ側のロッドがしなるという問題もあった。【０００４】  また従来のスプリンガーフォークでは、前のロッドをはずし、後ろ側のロッド単独ではフロントサスペンションの機能を果たせなかった。
【考案の開示】
【考案が解決しようとする課題】
【０００５】  この考案は、前記のスプリンガーフォークの問題点を解決するとともに、スプリンガーフォークをはずしボトムリンク式フロントサスペンション単独でも利用可能にすることを目的とし、リンク式フロントフォークにスプリンガーの前側のロッドの組付けを工夫することをその課題とするものである。
【課題を解決するための手段】
【０００６】  前記課題を解決するために講じた本考案の手段は、自動二輪車等の後ろ側のフロントフォークＡにリンクＧを取り付けＧの前側とフロントフォークＡに接合したステーＨに油圧式の緩衝器Ｆを取り付け、さらにリンクＧに前側のロッドＢを嵌め、ロッドＢの上部にスプリングＣを組み込む。ロッドＢとトップブリッジにボルトで縫い付けたステーＩで固定することによって構成し、スプリンガーフォークとリンク式サスペンションの両方の性質を同時に持つことを特徴とする。
【考案の効果】
【０００７】  フロントフォークＡに設けたリンクと緩衝器Ｆの組み合わせによるリンク式サスペンションは、単独でも十分に機能するものであるが、これにスプリンガフォークＢとスプリングＣを付け加えることにより、従来の問題であったフロントフォークＡが破損したり、やわらかい材質しか使用できないということがなくなる。
【実施例】
【０００８】  次にこの考案の添付図面により、詳細に説明する。図１は、スプリンガーフォークを取り外した状態でのリンク式サスペンションの組立図であり、図２はスプリンガフォークを取り付けた状態の組立図である。図３は正面から見たスプリンガーフォーク取り付け時の組立図である。図４が実施例を示すものである。【０００９】  図２に示すフレームのヘッドパイプにステアリングステムを回転可能に取り付け、フロントフォークＡをトップブリッジＤとボトムブリッジＥとで固定する。フロントフォークＡに接合されたステーＨとフロントフォークに取り付けられたリンクＧの先端に緩衝器Ｆを取り付ける。この状態をリンク式フロントサスペンションという。
さらにリンクＧにスプリングＣを取り付けたロッドＢを取り付けることによりスプリンガーフォークとリンク式フロントサスペンションを組み合わせたフロントサスペンションとなる。
【図面の簡単な説明】
【００１０】
【図１】リンク式サスペンションの組立図
【図２】スプリンガーフォークをつけたときの組立図
【図３】スプリンガーフォークとリンク式サスペンションを組み合わせたフロントフォークの正面図
【図４】実施例  ４−１  フルボトム時  ４−２  通常時
【図１】
0003145779.tif 000003
【図２】
0003145779.tif 000004
【図３】
0003145779.tif 000005
【図４】
0003145779.tif 000006
(57)【要約】      （修正有）【課題】内部に溜まった汚油を外部に排出し、汚油除去等の掃除の手間を省き、ひいてはダクト火災を防ぐ為の排気型焼物器を提供する。【解決手段】器具底部にドレン口を設け、器具内部及び外面についた汚油を外部に排出する。ドレン口から排出された汚油は、ドレン口の下部に油受トレーを取付けることで該トレー内に溜まり、定期的に溜まった汚油をすてるだけでよいので、掃除の手間が省け、かつダクト内への汚油の流入を防ぐことができる。【選択図】図１
0003145780.tif 000002
【実用新案登録請求の範囲】
【請求項１】
燃焼部を備えた焼物器本体の底部に、汚油を外部に排出する為のドレン口を設けたことを特徴とする排気型焼物器
【請求項２】
焼物器本体を形成する側板を、同じく焼物器本体を形成する側底板の端部より内側に取り付け、該側板と該側底板の間に隙間を作った請求口１に記載の排気型焼物器
【請求項３】
焼物器本体のドレン口の下部に、ドレン口より排出した汚油を受け止める為のトレーを取り付けた請求口１もしくは２に記載の排気型焼物器
【考案の詳細な説明】
【技術分野】
【０００１】本考案は、調理によって排気型焼物器に溜まった汚油を本体外部に排出させる構造の焼物器に関する。
【背景技術】
【０００２】ダクトの接続によって、燃焼排ガスを室外に排出する排気型焼物器において、調理により生じる汚油の処理としては、焼物器本体とダクトとの接続口にオイルフィルターを設けてフィルター上に油分を吸着させている。
しかしながら、本体に溜まった汚油は、器具上部又は側部より定期的に人力にて除去しないと、ダクト内への流入を防ぐことができず、これを怠るとダクト火災の一因となりうる。【０００３】さらに、焼物器本体外面に付着した汚油は、そのまま床面に流れ落ち、掃除に多くの時間を費やしていた。
【考案の開示】
【考案が解決しようとする課題】
【０００４】本考案は、上記の課題を解決して汚油除去等の掃除の手間を省き、ひいてはダクト火災を防ぐためのものである。
【課題を解決するための手段】
【０００５】本考案は、上記の課題を解決するために以下の考案を提供する。【０００６】（１）燃焼部を備えた焼物器本体底部に、汚油を外部に排出する為のドレン口を設けたことを特徴とする排気型焼物器
（２）焼物器本体を形成する側板を同じく焼物器本体を形成する側底板の端部より内側に取り付け、該側板と該側底板の間に隙間を作った上記（１）に記載の排気型焼物器
（３）焼物器本体のドレン口の下部に、ドレン口より排出した汚油を受け止める為のトレーを取り付けた上記（１）もしくは（２）に記載の排気型焼物器
【考案の効果】
【０００７】本考案によれば、排気装置によって吸引された汚空気が器具本体およびオイルフィルターへの衝突によって液化され、ドレン口から排出される。よって排気経路への油分の流入を防ぎ、ダクト火災を防止すると共に、焼物器本体外面についた汚油が床面に落下することなくドレン口にて受け止めることができる。
【考案を実施するための最良の形態】
【０００８】本考案の排気型焼物器は、焼物器の底部に溜まった汚油のダクトへの流入を防ぐ方法として、焼物器の底部にドレン口を設けることである。【０００９】さらに、焼物器外面に付着した汚油が床面に落下することを防ぐ方法として焼物器本体を形成する側板を同じく焼物器本体を形成する側底板の端部より内側に取り付け、側板と側底板との間にわずかな隙間を設けることで、汚油が焼物器の内部に戻り、ドレン口から排出されるのである。【００１０】ドレン口から排出された汚油は、ドレン口の下部に油受トレーを取付けることで該トレー内に溜まり、定期的に溜まった汚油をすてるだけでよいので、掃除の手間が省ける。【００１１】以下、本考案の実施の形態を図面に基づいてさらに詳細に説明する。
図１は、本考案を含む器具の断面図である。本考案の排気型焼物器の底部にダクト（５）を接続し、ダクト（５）の端部に排気装置を取りつけた器具であり、本体を覆うキャビネット及び、天板、燃焼排ガスを吸引する吸引カバー等からなる。
図２は、本考案の斜視図である。【００１２】本考案の排気型焼物器の本体（１）の底部に排気装置による吸い込みに影響を与えない程度の大きさのドレン口（２）を設ける。  排気装置によって吸引された汚空気は焼物器本体（１）及びオイルフィルター（４）へ衝突することで液化され、ドレン口（２）から外部に排出される。【００１３】なお、本体外面についた汚油を床面に落下させず、ドレン口にて受け止める方法としては、つぎの如きができる。
（イ）  側底板（７）の底辺に、上部に向かって折り返し（８）をつける。
（ロ）  側板（６）は側底板（７）の端部より内側に取り付ける。    この時、リベット、ビス、ボルト、溶接等の接続は、側面部のみとし、底面部は接続しない。
こうして側板（６）と側底板（７）との間に隙間を作ることにより、汚油は落下せず、側板（６）と側底板（７）との間のわずかな隙間から内部に戻り、ドレン口から排出される。【００１４】ドレン口（２）から排出された汚油の処理方法としては、ドレン口（２）の下部に油受トレー（３）を取り付けることで、ドレン口（２）から落下した汚油が油受トレーに溜まり、定期的に溜まった汚油を捨てるだけでよいので、掃除の手間が省け、かつ、ダクト内への汚油の流入を防ぐことができる。
【図面の簡単な説明】
【図１】本考案を含む器具の断面図
【図２】本考案の斜視図
【符号の説明】
１は本体
２はドレン口
３は油受トレー
４はオイルフィルター
５はダクト
６は側板
７は側底板
８は折り返し
【図１】
0003145780.tif 000003
【図２】
0003145780.tif 000004
(57)【要約】      （修正有）【課題】製造過程のフィルム原料削減を容易にしたストレッチフィルムを提供する。【解決手段】ストレッチフィルムのフィルム面に貫通孔を所定箇所に、所定形状のものを複数形成し、なおかつ連続的に等間隔で配列して構成する。また、貫通孔の所定形状は、フィルム面全体の強度を考慮し円形が望ましい。さらに、貫通孔の大きさを変えることにより、使用対象物の大きさや形状の変化に幅広く対応が可能となり、なおかつ使用時、対象物の安定性が向上する。【選択図】図１
0003145775.tif 000002
【実用新案登録請求の範囲】
【請求項１】
ストレッチフィルムのフィルム面所定箇所に、所定形状の貫通孔を、形成したことを、特徴とするストレッチフィルム。
【請求項２】
請求項１に記載のストレッチフィルムにおいて、
前記貫通孔が、フィルム面に連続的に複数形成されることを、特徴とするストレッチフィルム。
【請求項３】
請求項２に記載のストレッチフィルムにおいて、
前記貫通孔が、フィルム面に等間隔で配列されていることを、特徴とするストレッチフィルム。
【考案の詳細な説明】
【技術分野】
【０００１】
本考案は、おもに工業用に使用されるストレッチフィルムに関し、詳しくは、パレットに積み上げられた、製品の荷崩れや、落下防止に使用するストレッチフィルムに関する。
【背景技術】
【０００２】
従来、ストレッチフィルム製造過程おいて、フィルム原料を抑えるため、フィルムの厚さを薄くすることが提案されている。
【考案の開示】
【考案が解決しようとする課題】
【０００３】
しかしながら、上述したフィルム原料を抑えるための提案は、フィルムの強度が不足し破れるなどの問題があった。そこで、本考案は、フィルムの強度を損なわずフィルム原料を、抑えることが可能なストレッチフィルムを、提案することを目的とした。
【課題を解決するための手段】
【０００４】
上記課題を解決するために、本考案は、ストレッチフィルムのフィルム面所定箇所に、所定形状の貫通孔を、形成したことでフィルムの強度を損なわずフィルム原料を、削減することを特徴とする。
【０００５】
また、本考案は前記ストレッチフィルムにおいて、貫通孔が、フィルム面に連続的に複数形成されることで、フィルムの強度を損なわずフィルム原料を、削減することを特徴とする。
【０００６】
また、本考案は前記ストレッチフィルムにおいて、貫通孔が、フィルム面に等間隔で配列されることで、フィルムの強度を損なわずフィルム原料を、削減することを特徴とする。
【考案の効果】
【０００７】
以上述べたように本考案によれば、フィルムの強度を損なわず、フィルム原料を削減することが容易になり、フィルム原料、資源の有効活用がなされ、製品単価の抑制にもなる。また、フィルム重量の軽量化が可能になり、輸送時の取り扱いや、輸送費の削減、使用時の労力を軽減できる。さらには、フィルム原料を削減することにより使用後ゴミとなるフィルムの量を、減らすことができゴミ排出量を抑制しＣＯ２（温室効果ガス）の削減も可能となる、地球環境に配慮したストレッチフィルムである。
【考案を実施するための最良の形態】
【０００８】
以下、図に基づいて実施形態を説明する。
図１の（ｂ）は本考案の実施形態を示す正面図である。フィルム面１は、芯３に巻き取られ、フィルム４をロール状に形成するものであり（ａ）は上面図である。図２（ｄ）断片図５は大きさの異なった円形の貫通孔２・・・が等間隔で交互に連続的に形成することにより、フィルム面１に加わる、一方向の引き力を多方面に分散し、フィルムの強度不足を柔軟性で補う機能をもつ。さらに、フィルムの強度を高める手段として、フィルム面１の厚みを２０パーセント厚くして、強度を高め貫通孔２をフィルム面１に４０パーセント形成することによりフィルム原料を２０パーセント削減し、なおかつ、フィルムの強度を高めることができる。貫通孔の形としては、四角やひし形など複数の形状が考えられるが、あらゆる方向からの引き力を分散する形としては、円形が望ましい。また貫通孔の大きさとしては、使用対象物の大きさや形状、さらに、フィルム強度を考慮し大きさを変更することが可能である。
【０００９】
図２の（Ｃ）５はフィルム面の断片図である。大きさの異なる貫通孔２を複数、等間隔に連続的形成することにより、使用対象物の大きさや形状の変化に幅広く対応が可能となる。
【００１０】
図２の（ｄ）１はフィルム面の断片図である。大きさの異なる貫通孔２を交互に、複数、等間隔に連続的形成することにより、フィルム面の強度にむらをなくし、フィルム強度が面全体に均一化され、多方面からの引き力を広角度に分散し、使用対象物の安定性の向上が可能となる。
【産業上の利用可能性】
【００１１】
本考案は、ストレッチフィルムの製品原料を削減する以外に、通気を必要とする食品、製品、等を包装、梱包する場合にも利用可能である。
【図面の簡単な説明】
【００１２】
【図１】本考案に係わるストレットフィルムの実施形態を示し、（ａ）は上面図、（ｂ）は正面図である。
【図２】本考案に係わるストレットフィルムの実施形態を示す断片図である。
【符号の説明】
【００１３】
１  フィルム面
２  貫通孔
３  芯
４  ストレッチフィルム
５  フィルム面断片図
【図１】
0003145775.tif 000003
【図２】
0003145775.tif 000004
(57)【要約】      （修正有）【課題】テーラードカラーの衿腰製図作成時に、定規やコンパスを持ちかえての面倒な作業等を解消した定規を提供する。【解決手段】目盛りを設けた透明板に１つ以上の円弧線の溝孔及び適宜に小孔を設定した事を特徴とする洋裁製図用溝孔、小孔付き方眼定規である。透明板に１つ以上の円弧線の溝孔及び小孔を設定したことによりテーラードカラー等の衿腰のあるデザインの製図作成及びポケットの位置、その他の交点を要するデザインを素早く描く事が出来る。【選択図】図１
0003145735.tif 000002
【実用新案登録請求の範囲】
【請求項１】
目盛りを設けた透明板に１つ以上の円弧線の溝孔を設けたことを特徴とする定規。
【請求項２】
同上の定規に適宜に小孔を設けたことを特徴とする定規。
【考案の詳細な説明】
【技術分野】
【０００１】本考案は、洋裁において製図作成時に使用する、洋裁用方眼定規に関する。
【背景技術】
【０００２】従来、テーラードカラーの衿腰製図作成時には、定規やコンパスを持ちかえての面倒な作業であった。【０００３】ポケットやその他のデザインの位置決定においては、２本の定規を使い交点を測定する作業等を行なっていた。
【考案の開示】
【考案が解決しようとする課題】
【０００４】本考案は、上記従来の技術において述べた面倒な時間がかかる、時間を要するといった問題点を充分に解消する事を目的とするものである。
【課題を解決するための手段】
【０００５】目盛りを設けた透明板に１つ以上の円弧線の溝孔を使い、テーラードカラー等の衿腰のある衿の製図作成を行なう。【０００６】上記の透明板に１つ以上の適宜に小孔を設定してあるため、同時に縦横交点の印し付けが可能。その印しを線で結ぶことにより、ポケット、その他様々な縦横の線を必要とするデザイン製図時にも利用可能。
【考案の効果】
【０００７】テーラードカラー等の衿腰製図作成は、定規やコンパス等を持ちかえての面倒な作業であったが、本考案に設定した１つ以上の円弧線の溝孔を使い、テーラードカラー等の衿腰のある衿の製図作成が容易に出来る。【０００８】洋裁製図作成において、ポケットやその他のデザインの位置決定においては、２本の定規、又は、それを持ちかえて使い、交点を測定する作業等を行っていたため、能率が悪かった。しかし、本考案では１つ以上の小孔を設けてあるので、その小孔に筆記用具を入れ、縦横の位置を同時に記入出来る。さらに、縦横の線を用いる様々な図の作成が容易に出来る特徴のある定規。
【考案を実施するための最良の形態】
【０００９】図１は、目盛りを設けた透明板に１つ以上の円弧線の溝孔及び適宜に小孔を設定した特徴とする洋裁製図用溝孔、小孔付き方眼定規である。同図に示すように透明板に１つ以上の円弧線の溝孔及び小孔を設定したことによりテーラードカラー等の衿腰のあるデザインの製図及ポケットの位置、その他の交点を要するデザインを素早く描く事が出来る。【００１０】この考案の透明板は、プラスティックなどの通常のものでよい。
【産業上の利用可能性】
【００１１】本考案に係る透明板は、工業的に量産する事が可能であるため、産業上利用可能性を有する。
【図面の簡単な説明】
【００１２】
【図１】目盛を設けた透明板に１つ以上の円弧線の溝孔及び適宜に小孔を設定した特等のある洋裁製図用溝孔、小孔付き方眼定規の正面図である。
【図２】本考案Ｄ〜Ａ線の断面図である。
【図３】本考案の溝孔を使用し、テーラードカラー衿腰製図作成時の図である。
【図４】本考案の小孔を使用し、ポケット位置決定時の図である。
【符号の説明】
【００１３】１．本考案の洋裁用製図用溝孔、小孔付き方眼定規
２．溝孔
３．小孔
【図１】
0003145735.tif 000003
【図２】
0003145735.tif 000004
【図３】
0003145735.tif 000005
【図４】
0003145735.tif 000006
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
目盛りを設けた透明版に１つ以上の円弧線の溝孔を設けたことを特徴とする定規。
【請求項２】
請求項１記載の定規において、適宜に小孔を設けたことを特徴とする定規。
【手続補正２】
【補正対象書類名】明細書
【補正対象項目名】０００４
【補正方法】変更
【補正の内容】
【０００４】  本考案は、［０００２］、［０００３］のような従来の技術において述べた面倒な作業で、時間を要するといった問題点を充分に解消する事を目的とするものである。
【手続補正３】
【補正対象書類名】明細書
【補正対象項目名】０００６
【補正方法】変更
【補正の内容】
【０００６】［０００５］の透明板に１つ以上の適宜に小孔を設定してあるため、同時に縦横の交点の印し付けが可能。その印しを線で結ぶことにより、ポケット、その他様々な縦横の線を必要とするデザイン製図作成時にも利用可能。
【手続補正４】
【補正対象書類名】明細書
【補正対象項目名】０００９
【補正方法】変更
【補正の内容】
【０００９】  図１は、目盛りを設けた透明板に１つ以上の円弧線の溝孔及び適宜に小孔を設定した事を特徴とする洋裁製図用溝孔、小孔付き方眼定規である。図１に示すように透明板に１つ以上の円弧線の溝孔及び小孔を設定したことによりテーラードカラー等の衿腰のあるデザインの製図作成及びポケットの位置、その他の交点を要するデザインを素早く描く事が出来る。
【手続補正５】
【補正対象書類名】明細書
【補正対象項目名】００１２
【補正方法】変更
【補正の内容】
【００１２】  ［図１］目盛を設けた透明板に１つ以上の円弧線の溝孔及び適宜に小孔を設定した特徴のある洋裁製図用溝孔、小孔付き方眼定規の正面図である。
【手続補正６】
【補正対象書類名】明細書
【補正対象項目名】００１３
【補正方法】変更
【補正の内容】
【００１３】  １．本考案の洋裁製図用溝孔、小孔付き方眼定規。
(57)【要約】      （修正有）【課題】緑化層を軽量に安価に作り、薄層シートに乾燥地に耐える保水性を持たせた駐車場緑化装置を提供する。【解決手段】薄層緑化資材をパンチングメタル４又はエックスパンデッドメタル板に貼り付け周囲をＬ字型鋼で取り巻いたプレハブパネルをＨ型鋼５にボルト、ナットでジョイントし、組立、分解が簡単に出来る。薄層緑化シート３の保護層と基盤の間に苔と一緒に珪藻焼成粒を充填すること、更に排水層に充填することに拠り苔の生育を高め保水性を良くする。薄層緑化方式だけでは平面的で、又四季の移り変わりが感じられないので、補助的に間を開け所々蔦類（藤１６、キウイ１７、蔦等）を取り入れ立体的に，季節の変化を感じさせる。【選択図】図２
0003145732.tif 000002
【実用新案登録請求の範囲】
【請求項１】
薄層緑化資材をパンチングメタル又はエックスパンデッドメタル板に貼り付け周囲をＬ字型鋼で取り巻いたプレハブパネルをＨ型鋼にボルト、ナットでジョイントし、組立、分解が簡単に出来る駐車場緑化。
【請求項２】
薄層緑化シートの保護層と基盤の間に苔と一緒に珪藻焼成粒を充填すること、更に排水層に充填することに拠り苔の生育を高め保水性を良くする。
【請求項３】
薄層緑化方式だけでは平面的で、又四季の移り変わりが感じられないので、補助的に間を開け所々蔦類（藤、キウイ、蔦等）を取り入れ立体的に，季節の変化を感じさせる。
【考案の詳細な説明】
【技術分野】
【０００１】主に苔を使った薄層緑化シートを使い、プレハブパネルを作りそれを鉄骨にボルト・ナットで取り付ける。更に乾燥地対策に珪藻土粒を添加しておく。蔦類は植木鉢で良い。
【背景技術】
【０００２】−これまでの芝生による緑化では２０−３０ｋｇ／ｍ２と重く路面駐車の天井をカバーすることは現実的ではなかった。今回の薄層層緑化シートを使えばプレハブパネルをジョイントする事に拠り現実的となった。
−苔の弱点である乾燥に弱い点を珪藻土粒を添加することで補った。
−蔦類の場合、プレハブパネルの平面は出来るだけきめの粗い金網を使う。
【考案の開示】
【考案が解決しようとする課題】
【０００３】−緑化層をいかに軽量に作るか、それに安価に作りたい。
−又薄層シートに乾燥地に耐える保水性を持たせなければならない。
【課題を解決するための手段】−芝生を使えば土壌層が不可欠なため、それに代わり土を必要としない苔を使う。
−初期の段階では苔は目立たないので、美観を考え、人工苔で補う。
−乾燥地で使えるように保水性の大きい珪藻土粒を添加する。
【考案の効果】
【０００４】−薄層緑化シートを使うので，予め工場でプレハブパネルを作り現場ではボルト・ナットで締め上げるだけで済むので、土木工事無しで、取り付け、取り外しが短時間で出来る。
−乾燥地用に、保水性の高い珪藻土粒を添加しておくと、散水の回数が減らせ、管理費の節減になる。
−蔦類を所々組み合わせる事に拠り、季節感、立体感が感じられる。
【考案の実施するための最良の形態】
【０００５】−緑化には苔を、美観を保つには人工苔を、より保水性を持たせるために珪藻土粒を使う事に拠り、プレハブパネルを工場生産して現場で組立、撤去が可能となる。
−初期投資も少なく管理費も僅かで緑化効果が期待でき、天井をカバーするので、車を涼しい所に置く事になる。
−この方式は立体駐車場の屋根にも適応できる。その時は対荷重計算をしておく必要がある。
【実施例】
【０００６】−添付図のように、家庭の屋根付き駐車場の延長線で、初期投資、管理費共に僅かで済み、美観も充分です。
−プレハブパネルを工場生産して現場で土木工事無しで、ボルト・ナットでジョイントするだけで取り付け完了、また、必要と有れば簡単に撤去できる。
この方式は高層ビルの壁面緑化にも応用できましょう。
蔦類は季節感を感じさせるメリットはあるが、落ち葉の処理，剪定等管理が嵩む弱点がある。
【図面の簡単な説明】
【０００７】
【図１】駐車場緑化後の平面図。１６台のケース。
【図２】前面から見た図。左端に藤、右端にキウイを採り得れた例。
【図３】側面から見た図。
【図４】プレハブパネル。周囲の鉄骨と１６枚を単位とした薄層緑化シートとの間を空けてある。蔦類の場合はパンチングメタルの変わりに目の粗い金網で良い。
【図５】薄層緑化シートの構造。湿潤地では珪藻土粒は入れなくても済む。
【図６】地上での支柱受け皿。上層部の重量に拠り、風圧に耐えるよう厚みを加減する。
【符号の説明】
【００８】１  Ｈ型鋼又は四角パイプ
２  地上での受け皿
３  薄層緑化シート
４  パンチングメタル
５  Ｈ型鋼又は四角パイプ
６  Ｌ型鋼又はＵ型鋼
７  人工芝
８  保護層
９  苔
１０  珪藻土粒
１１  基盤（不織布）
１２  排水層
１３  Ｈ型鋼又はＵ型鋼
１４  コンクリートブロック
１５  鋼製受け皿
１６  藤
１７  キウイ
１８  植木鉢
【図１】
0003145732.tif 000003
【図２】
0003145732.tif 000004
【図３】
0003145732.tif 000005
【図４】
0003145732.tif 000006
【図５】
0003145732.tif 000007
【図６】
0003145732.tif 000008
【手続補正書】
【提出日】平成20年6月14日(2008.6.14)
【手続補正１】
【補正対象書類名】実用新案登録請求の範囲
【補正対象項目名】全文
【補正方法】変更
【補正の内容】
【実用新案登録請求の範囲】
【請求項１】
薄層緑化資材をパンチングメタル又はエックスパンデッドメタル板に貼り付け周囲をＬ字型鋼で取り巻いたプレハブパネルをＨ型鋼にボルト・ナット又は止め金具でジョイントし、組立、分解が簡単に出来る駐車場緑化装置。
【請求項２】
薄層緑化シートの保護層と基盤の間と排水層に珪藻土焼成粒を重点することに拠り苔の生育を高め保水性をよくすることを特徴とした請求項１記載の駐車場緑化装置。
【請求項３】
薄層緑化方式だけでは平面的で、又四季の移り変わりが感じられないので補助的に所処、季節の変化を感じさせる蔦類（藤、キーウイ、蔦等）を取り入れた請求項１の駐車場緑化装置。
(57)【要約】      （修正有）【課題】ボックスティシューの紙の箱を不要にしたパックを提供する。【解決手段】家に詰め替え用のボックスを用意すれば、詰め替え用のパックを購入することにより、小分けした紙の箱は不要となる。ボックスは引出し式になっているので、ティシューが少なくなれば補充でき、市販のボックスティシューの様に最後の方が取り出し辛いこともない。１０箱分程がビニールパックという簡易包装になれば、箱の紙が無駄にならなくて良い。【選択図】図１
0003145733.tif 000002
【実用新案登録請求の範囲】
【請求項１】
市販されているボックスティシューの紙の箱の代わりにビニールパックにする
【考案の詳細な説明】
【技術分野】
【０００１】本考案は無駄になりがちなボックスティシューの紙の箱をビニールパックに代えたティシューに関する物である
【背景技術】
【０００２】買って来たボックスティシューを紙箱から出し家にあるボックスにつめ替える際、紙の箱が不用となり日頃から無駄だと感じていた
【考案が解決しようとする課題】
【０００３】市販のティシューは殆ど５箱が１パックになっており詰め替える、詰め替えないに係らず、最終的にはその５箱分の紙の箱が不用になってしまう
【考案を解決するための手段】
【０００４】箱での使用が必要な人はそれで良いが家で詰め替える事をすれば、わざわざ小分けして紙の箱に入っていなくても１０箱分程がビニールパックで売られている方が箱紙が無駄にならなくて良い
【考案の効果】
【０００５】家にあるボックスに移し替える理由としてはそのボックスが引き出し式になっているのでティシューが少なくなれば常に補充できるため市販のボックスティシューの様に最後の方が取り出し辛いという欠点がないためである  そのうえビニールパックという簡易包装になれば不用の物も減る
【考案の実施するための最良の形態】
【０００６】箱の形がないので１０箱分程を１パックとし、ビニール包装をすると良いと思う
【実施例】
【０００７】家に詰め替え用のボックスを持っていない人又その様の物を知らない人の為に既存のボックスなどをビニールパックのティシューと一緒に陳列して置く事で、それらのボックスがあれば半永久的に使用できるので紙の箱が無駄であると世間に意識してもらえる
現在ボックスティシューに記されている商品についての等々はビニールに印刷しても印刷した紙を入れてもコストの安い方で良いと思う
【図面の簡単な説明】
【０００８】
【図１】本考案の箱を取り除きビニールパックのみになったティシューの立体図である
【符号の説明】
【０００９】１  ビニールパックのティシューペーパー本体
２  持ち手
【図１】
0003145733.tif 000003
【手続補正書】
【提出日】平成20年6月24日(2008.6.24)
【手続補正１】
【補正対象書類名】実用新案登録請求の範囲
【補正対象項目名】全文
【補正方法】変更
【補正の内容】
【実用新案登録請求の範囲】
【請求項１】
市販されているボックスティッシューの紙の箱を簡素化しティッシューのパッケージをビニールパックのみにする．ビニールパックティッシュー
(57)【要約】      （修正有）【課題】自力で立ち上がる動作を補助するとともに、腰掛け等多用途に利用できる立ち上がり動作補助具を提供する。【解決手段】天端と底面が平行で上半部が本体背面２側に傾斜した脚４を平行に対向配置し、この間を横桟５，６，７，８，９，１０で連結して組み立てる。脚４は、上半部が本体背面２側に傾斜した形状とし、垂直方向、中央部付近屈曲部に横桟７の取付部３を有し、これにより横桟７は横桟８より本体正面１よりに配置され構成する。【選択図】図１
0003145739.tif 000002
【実用新案登録請求の範囲】
【請求項１】
天端と底面が平行で上半部が本体背面２側に傾斜した脚４を平行に対向配置し、この間を横桟５，６，７，８，９，１０で連結して組み立てた立ち上がり動作補助具。
【請求項２】
横桟７を横桟８より本体正面１方向寄りにずらして配置したことを特徴とする立ち上がり動作補助具。
【考案の詳細な説明】
【技術分野】
【０００１】この考案は、自力で立ち上がる動作を補助するとともに、腰掛け等にも利用できる多用途の立ち上がり動作補助具に関するものである。
【背景技術】
【０００２】立ち上がり動作を補助することを目的とした固定式等の立ち上がり動作補助具が考案されている。
【考案の開示】
【考案が解決しようとする課題】
【０００３】自力で立ち上がる動作を補助するとともに、腰掛け等多用途に利用できる立ち上がり動作補助具を提供する。
【課題を解決するための手段】
【０００４】天端と底面が平行で上半部が本体背面２側に傾斜した脚４を平行に対向配置し、この間を横桟５，６，７，８，９，１０で連結して組み立てた立ち上がり動作補助具。
【考案の効果】
【０００５】立ち上がり時に横桟６，７，８に手を添えて立ち上がることにより、立ち上がり動作を安定的に行うことができる。横桟８を横桟７より本体背面２寄りにずらして配置することにより、横桟７に手を添える動作時に上方に配置されている横桟８が障害とならず、安全な動作がとれる。
構造が簡単で軽く取り扱いが容易であるため、図５本考案の使用例立ち上がり動作補助、図６本考案の使用例腰掛け、図７本考案の使用例正座、図８本考案の使用例足置きなど、多用途に利用でき実用性が高い補助具である。
【考案を実施するための最良の形態】
【０００６】（イ）脚４を平行に対向配置し、この間を横桟５，６，７，８，９，１０で連結して組み立てた構造体である。
（ロ）脚４は上半部が本体背面２側に傾斜した形状であって、垂直方向中央部付近屈曲部に横桟７取付部３を有し、これにより横桟７は横桟８より本体正面１寄りに配置される。
（ハ）横桟６，７、８は立ち上がり動作時の握り棒となるため丸棒またはそれに準じる握りやすい形状とし、横桟９は横桟８と合わせて腰掛けとしての利用のため、平板状のものを優先的に採用するが、丸棒状またはそれに準じる形状のものでもよい。
（ニ）横桟５は正座時の腰掛けとして利用のため、平板状のものを優先的に採用するが、丸棒状またはそれに準じる形状のものでもよい。
（ホ）横桟１０は本体１１を強固にするための構成材であり、横桟５，６，７，８，９と脚４の連結組立により本体１１の強度が十分確保される場合は取り付け不要である。
（ヘ）横桟１０は本考案の正座使用時に下肢挿入時の障害とならぬよう、本体正面１寄りに配置する。
（ト）脚４の底面の本体正面１と本体背面２方向の長さは、立ち上がり動作時の体重付加による転倒防止を極力回避するための適切な長さを有する。
（チ）立ち上がり動作時の体重付加による本体後面２側への転倒防止を極力回避するため、横桟８は本体正面１と本体背面２方向長さの概ね中央部付近に配置する。
【図面の簡単な説明】
【０００７】
【図１】本考案の本体斜視図
【図２】本考案の断面図
【図３】本考案の平面図
【図４】本考案の本体正面１側立面図
【図５】本考案の使用例立ち上がり動作補助
【図６】本考案の使用例腰掛け
【図７】本考案の使用例正座
【図８】本考案の使用例足置き
【符号の説明】
【０００８】１．本体正面
２．本体背面
３．横桟７取付部
４．脚
５．横桟
６．横桟
７．横桟
８．横桟
９．横桟
１０．横桟
１１．本体
【図１】
0003145739.tif 000003
【図２】
0003145739.tif 000004
【図３】
0003145739.tif 000005
【図４】
0003145739.tif 000006
【図５】
0003145739.tif 000007
【図６】
0003145739.tif 000008
【図７】
0003145739.tif 000009
【図８】
0003145739.tif 000010
【手続補正書】
【提出日】平成20年7月15日(2008.7.15)
【手続補正１】
【補正対象書類名】実用新案登録請求の範囲
【補正対象項目名】全文
【補正方法】変更
【補正の内容】
【実用新案登録請求の範囲】
【請求項１】
垂直方向中央部付近で上半部を該補助具本体背面側に傾斜させた形状の脚であって平行に対向配置された一対の脚部間に、脚天端部に腰掛け用座部としての横桟並びに上部握り部としての横桟を取り付け、脚中央部付近の屈曲部に中央部握り部としての横桟を取付けるとともに、脚下方部に下部握り部としての横桟並びに正座時尻置き台座部としての横桟並びに該補助具の強度確保を目的とした横桟を取り付け組み立てられたことを特徴とする立ち上がり動作補助具
(57)【要約】      （修正有）【課題】車輪が車外や道路に飛び出す事もなく車両を安全に運行させる事ができる脱落防止装置器を提供する。【解決手段】大型自動車の後輪の中央部の車軸６に車軸を包むようにして取り付けた車輪の脱落防止装置器９で課題を解決する。尚、その車輪脱落の防止装置器９を取り除くにはボルト、１１の先端にある割りピンの１３を抜きナツトの１２を外してボルトの１１を抜いてａ部を広げて車輪脱落防止装置器９を引き出す。又、取り付けは前記の逆の手順で取り付ける。【選択図】図２
0003145740.tif 000002
【実用新案登録請求の範囲】
【請求項１】
先ず図１が示すように大型自動車の後部車輪の中央部にある車軸６の《ハブ》を包むように装着するがその、脱落出防止、装置器９を装着する時は下部のａ部とａ部を少し左右に広げて車軸６の上に乗せて適当な所まで押し込むその時に上部のｂ部とｂ部が少し狭まるが支障はないあとは下部のａ部とａ部とを引き合わせて、引き締めボルトの１１とナツト１２で締めて、割りピン１３をさして広げて装着は完了。
又、脱落出防止装置器９の取り外しは、上記の逆の手順で外せる、車輪、脱落出防止装置器９である。
【考案の詳細な説明】
【技術分野】
【０００１】  本考案は、大型自動車の後輪脱落出防止装置器に関する。
【背景技術】
【０００２】  従来の大型自動車の後輪は強固な鋼製のボルトとナツトで取り付けてある。
【考案の開示】
【考案が解決しようとする課題】
【０００３】  しかし強固な取り付けボルトでも、時間が過ぎると共に金属に疲労が起きてボルトの破損による車輪の脱落出などで時には悲惨な事故を起こす事もある。
【課題を解決する為の手段】
【０００４】そこで  図１と図２の示す大型自動車の後輪の中央部の車軸６、《ハブ》を包む様に強く取り付けた車輪脱落出防止器具。
【考案の効果】
【０００５】前記のように本考案の車輪脱落出の防止装置器９を取り付けることで車輪が車外や道路に飛び出す事もなく車両を安全に運行させる事ができる。
【考案を実施する為の最良の形態】
【０００６】  本考案に係わる大型自動車の後部車輪の脱落出防止装置器９は図１、図２の示すようにホイル３の内がわの中心部にある車軸《ハブ》６を包むように取り付けてある。
尚、その車輪脱落出の防止装置器９を取り除くにはボルト、１１の先端にある割りピンの１３を抜きナツトの１２を外してボルトの１１を抜いて図１のａ部とａ部を広げて車輪脱落出防止装置器９を引き出す。
又、取り付けは前記の逆の手順で取り付ける。
【図面の簡単な説明】
【０００７】
【図１】本考案に係わる大型自動車の後輪脱落出防止装置器の１部破断断面、正面図
【図２】本考案の同じく後輪脱落出防止装置器の１部破断、断面、側面図
【図２】本考案の同じく後輪脱落出防止装置器の１部断面、側面図
【符号の説明】
【０００８】  １    タイヤ
２    リング
３    ホイル
４    取り付けナツト
５    取り付け袋ナツト
６    車軸《ハブ》
７    シャフト
８    シャフト取り付けボルト
９    脱落出防止装置器
１０    目視点検用、湾曲型穴
１１    締め付けボルト
１２    締め付けナツト
１３    割りピン
１４    連結用、軸棒
１５    ネジ、切り山
１６    プラス型、工具用穴
１７    ａ部は脱着時の手持ち部
１８    ｂ部は脱着時の、連動部
【図１】
0003145740.tif 000003
【図２】
0003145740.tif 000004
【図３】
0003145740.tif 000005
【手続補正書】
【提出日】平成20年7月21日(2008.7.21)
【手続補正１】
【補正対象書類名】実用新案登録請求の範囲
【補正対象項目名】全文
【補正方法】変更
【補正の内容】
【実用新案登録請求の範囲】
【請求項１】
両後輪がそれぞれ二重に取り付けられた大型自動車の、各後輪の外側に位置するホイルの中央穴を通して車幅方向外向きに突出配置される車軸の先端部外周面に装着可能な後輪脱落出防止装置器であって、
前記後輪脱落出防止装置器は、正面視にてＣ字状をなし各一端側にて車幅方向に延びるように埋設される連結用軸棒によりその軸回りに回転可能に連結され、各他端側に組み付けられる締め付けボルト及び締め付けナットの締め付け具合に応じて車軸の先端部外周面に固定される装着位置と、車軸の先端部外周面から取り外し可能な取り外し位置とを実現するよう内周部の大きさを変更可能とされる一対の装着部と、
前記一対の装着部と一体的に接続され、正面視にてホイル用の取り付けボルトを目視するための目視点検用穴を有するフランジ部と、
を備えることを特徴とする後輪脱落出防止装置器。
【手続補正２】
【補正対象書類名】明細書
【補正対象項目名】０００７
【補正方法】変更
【補正の内容】
【０００７】
【図１】本考案に係わる大型自動車の後輪脱落出防止装置器の１部破断断面、正面図
【図２】本考案の同じく後輪脱落出防止装置器の１部破断、断面、側面図
【図３】本考案の同じく後輪脱落出防止装置器の１部断面、側面図